(57)【特許請求の範囲】
【請求項１】
管理領域とプログラム領域とからなる第１の記録媒体と、管理領域とプログラム領域とからなり、管理領域に文字情報が記録された第２の記録媒体とを再生することが可能で、且つ上記文字情報を再生することが可能な第１の再生装置と、
上記第１の記録媒体と、上記第２の記録媒体とを再生することが可能で、且つ上記文字情報を再生できない第２の再生装置と、
上記第１および第２の再生装置で共有され、上記第１および第２の記録媒体から再生された管理領域データから抽出された上記記録媒体に固有の識別情報と上記文字情報またはユーザの入力した入力文字情報が対応付けされたファイルデータを記憶する不揮発性記憶手段と、
上記第１および第２の再生装置からの再生信号が選択的に供給される制御装置と、
上記制御装置に接続され、上記不揮発性記憶手段に記憶されたファイルデータに基づいて上記文字情報または上記入力文字情報を表示する表示装置とを備え、
上記制御装置は、
抽出された固有の識別情報が上記ファイルデータに記憶済みか否かを判別し、記憶済みと判定された場合には、上記管理領域の読み取りを中止し、
記憶済みでないと判定された場合には、上記第１および第２の再生装置の一方に装着された記録媒体の管理領域から再生した管理領域データから該装着された記録媒体が上記第１および第２の記録媒体の何れであるかを判定し、上記第２の記録媒体が装着されたと判定された場合に、上記管理領域の読み取りを継続して、上記管理領域データから抽出された上記文字情報を上記識別情報と対応付けて上記不揮発性記憶手段に記憶し、上記第１の記録媒体が装着されたと判定された場合に、処理を終了する
ことを特徴とする再生システム。
【請求項２】
請求項１において、
上記記録媒体に固有の識別情報が記録されている総プログラム数であることを特徴とする再生システム。
【請求項３】
請求項１において、
上記記録媒体に固有の識別情報が記録されているプログラムの総時間であることを特徴とする再生システム。
【発明の詳細な説明】
【０００１】
【発明の属する技術分野】
この発明は、オーディオデータ、ビジュアルデータ等の主たるディジタルデータに付属してサブコードが記録されている記録媒体例えばディジタルオーディオ用ＣＤ（コンパクトディスク）の再生装置を複数備えた再生システムに関する。
【０００２】
【従来の技術】
オーディオ情報が記録されたＣＤを再生するＣＤ再生装置において、使用上の便宜を図るため、ディスク再生情報に基づく各種表示がなされている。周知のものとして、後述のＱチャンネルサブコードにモード１として記録されているプログラム番号いわゆるトラック番号や各トラック番号に割り当てられた時間情報を再生して表示することがなされている。
【０００３】
さらに、最近、リードインエリアに記録されたサブコードのＲ〜Ｗチャンネルを使用してＣＤ上に、そのＣＤと関連した文字情報を記録することが提案されている。これは、ＣＤテキストと称される。ＣＤテキストのフォーマットは、提案されたばかりであり、ＣＤ再生装置として、ＣＤテキストに対応しているものは今後、開発あるいは商品化されようとしている。ＣＤテキストに対応したＣＤ装置が将来的に開発され、商品化された時に、当然のことながら、ＣＤテキストに非対応のＣＤ再生装置も併存することになる。
【０００４】
【発明が解決しようとする課題】
複数の再生装置が結合された再生システム、例えば車載用のオーディオシステムの場合では、ＣＤテキスト対応のＣＤ再生装置と、ＣＤテキスト非対応のＣＤ再生装置とが共通の制御装置によって結合されることが考えられる。このような再生システムにおいて、選択的に使用するＣＤ再生装置によって、ＣＤテキストデータの表示が可能であったり、不可能であることは、ユーザにとって不快であり、装置の故障と勘違いするおそれもある。
【０００５】
従って、この発明の目的は、ＣＤテキストに非対応の装置によって、ＣＤテキストフォーマットのＣＤを再生した場合でも、ＣＤテキストデータの再生を可能とする再生システムを提供することにある。
【０００６】
【課題を解決するための手段】
この発明は、上記の課題を達成するために、管理領域とプログラム領域とからなる第１の記録媒体と、管理領域とプログラム領域とからなり、管理領域に文字情報が記録された第２の記録媒体とを再生することが可能で、且つ文字情報を再生することが可能な第１の再生装置と、
第１の記録媒体と、第２の記録媒体とを再生することが可能で、且つ文字情報を再生できない第２の再生装置と、
第１および第２の再生装置で共有され、第１および第２の記録媒体から再生された管理領域データから抽出された記録媒体に固有の識別情報と文字情報またはユーザの入力した入力文字情報が対応付けされたファイルデータを記憶する不揮発性記憶手段と、
第１および第２の再生装置からの再生信号が選択的に供給される制御装置と、
制御装置に接続され、不揮発性記憶手段に記憶されたファイルデータに基づいて文字情報または入力文字情報を表示する表示装置とを備え、
制御装置は、
抽出された固有の識別情報がファイルデータに記憶済みか否かを判別し、記憶済みと判定された場合には、管理領域の読み取りを中止し、
記憶済みでないと判定された場合には、第１および第２の再生装置の一方に装着された記録媒体の管理領域から再生した管理領域データから該装着された記録媒体が第１および第２の記録媒体の何れであるかを判定し、第２の記録媒体が装着されたと判定された場合に、管理領域の読み取りを継続して、管理領域データから抽出された文字情報を識別情報と対応付けて不揮発性記憶手段に記憶し、第１の記録媒体が装着されたと判定された場合に、処理を終了する
ことを特徴とする再生システムである。
【０００８】
複数の再生装置で構成された再生システムにおいて、記録媒体に記録されている文字情報を記録媒体に固有の識別情報と対応付けして記憶手段に記憶するようになされる。複数の再生装置の間で、記憶手段を共有するので、ＣＤテキストのような文字情報記録方式に非対応の装置で、記録媒体を再生した場合でも、文字情報の表示が可能とできる。
【０００９】
【発明の実施の形態】
以下、この発明に係る再生システムおよび再生装置の一実施例について、図面を参照しながら説明する。一実施例では、記録媒体としてＣＤを使用しているが、これに限らず、他の種類の光ディスク（例えばＤＶＤ（ディジタル・ビデオ・ディスク）、磁気テープ、光テープ、半導体メモリ等に対してもこの発明を適用することができる。また、記録媒体に記録されている情報は、オーディオデータに限らず、ビデオデータ等であっても良い。
【００１０】
この発明の理解を容易とするために、オーディオ再生用のＣＤのデータ構成について説明する。ＣＤは、図１に示すように、ＣＤ１０１は中央に孔１０２を有し、その内周から外周に向かって、ＴＯＣ（table Of contents)  データが記録されたプログラム管理領域である、リードイン（lead in ）領域１０３と、プログラムデータが記録されたプログラム領域１０４と、プログラム終了領域、いわゆるリードアウト（lead out）領域１０５とが形成されている。オーディオ情報を記録したオーディオ再生用ＣＤにおいては、プログラム領域１０４にオーディオデータが記録され、このオーディオデータの時間情報等がリードイン領域１０３で管理される。また、ＣＤ再生装置によるプログラム領域１０４内のオーディオデータの読み出しが終了して、リードアウト領域１０５にピックアップが到達したときに、ＣＤ再生装置がＣＤの再生動作を終了する。
【００１１】
ＣＤには、メインデータとしてのオーディオデータの他にサブコードが記録されている。以下、サブコードのＰチャンネルおよびＱチャンネルのデータについて説明する。ＣＤに記録されるオーディオ信号は、１サンプルあるいは１ワードが１６ビットで、４４．１ｋＨｚのサンプリング周波数でサンプリングされる。このサンプリングされたデータは、１サンプルあるいは１ワード１６ビットが上位８ビットと下位８ビットに分割されてそれぞれシンボルとされ、このシンボル単位で誤り訂正符号化処理やインターリーブ処理が施され、オーディオデータの２４シンボル毎に１つのフレームにまとめられる。１フレームは、ステレオ左右チャンネルの各６サンプル分に相当する。
【００１２】
ＥＦＭ変調により、各シンボルの８ビットが１４ビットへ変換される。ＥＦＭ変調後の１フレームのデータ構造を図２に示す。１フレーム１３５は、２４チャンネルビットの同期パターンデータ領域１３１と、１４チャンネルビットのサブコード領域１３２と、１２シンボルのプログラムデータＤ１からＤ１２を含むプログラムデータ領域１３３と、４シンボルのパリティデータＰ１からＰ４から成るパリティデータ領域１３４と、別のプログラムデータ領域１３３およびパリティデータ領域１３４とからなる。また、各領域、あるいはデータ部分を接続するために、各部分に対して３チャンネルビットの結合ビットが配される。従って、１フレーム１３５は、合計５８８チャンネルビットのデータを含む。
【００１３】
さらに、９８個のフレームを集めて、このフレーム１３５の各領域およびデータ部分が縦方向に連続するように並べ換えたものを図３に示す。この図３に示される９８フレームの周期は、サブコードが完結する単位であって、サブコードフレームと称される。このサブコードフレームは、フレーム同期パターン部１３６と、サブコード部１３７と、データおよびパリティ部１３８とから成る。なお、この１サブコードフレームは、ＣＤの再生時間の１／７５秒に相当する。
【００１４】
ここで、ＰチャンネルおよびＱチャンネルのデータを含むサブコードデータは、図３中のサブコード部１３７に記録されているデータである。また、このサブコード部１３７のサブコードフレームのデータの構成の詳細を図４に示す。先頭のフレームＦ０１、フレームＦ０２は、サブコードフレームの同期パターンＳ０、Ｓ１である。この同期パターンは、フレーム同期パターンと同様に、ＥＦＭ変調方式（eight to fourteen modulation: ＥＦＭ）のアウトオブルール（out of rule ）のパターンである。さらに、１シンボルの８ビットの各ビットは、それぞれサブコードのＰチャンネルからＷチャンネルを構成する。例えば、Ｐチャンネルは、Ｓ０、Ｓ１のそれぞれ一部と、Ｐ０１からＰ９６とで構成される。
【００１５】
サブコードのＰチャンネルは、プログラムの有無に対応した情報を有し、Ｑチャンネルには、ＣＤ上の絶対時間情報、各プログラムの時間情報、プログラム番号（トラック番号とも称される）、楽章番号（インデックスとも称される）等の情報が含まれる。従って、Ｑチャンネルに含まれる情報によって、プログラムの頭だし等の再生動作の制御が可能であり、また、Ｑチャンネルの情報を表示することによって、演奏中のプログラムが光ディスク上の何番目のプログラムであるのか、演奏の経過時間や始めからの絶対時間等を視覚的に確認できる。
【００１６】
さらに、サブコードのＲチャンネルからＷチャンネルまでの６チャンネル分のデータは、例えば静止画や、曲の歌詞の表示等に用いることが可能である。このようなＲチャンネルからＷチャンネルを用いた再生装置は、ＣＤ−グラフィックスと呼ばれ、既に知られている。さらに、最近では、リードイン領域のＲ〜Ｗチャンネルを使用して、ＣＤに付加的な文字情報を記録する方式（ＣＤテキスト）が提案されている。このＣＤテキストの場合、６５００字程度の文字情報を記録することが可能とされ、また、ＣＤの付加文字情報としては、８００文字以下であるとし、８カ国の言語に対応できるようにされている。
【００１７】
図５Ａは、ＣＤ上に記録されているデータを示す。図１についても説明したように、内周側から順にリードイン領域１０３に記録されているＴＯＣデータ、プログラム領域１０４に記録されているプログラム No.１〜 No.ｎ、リードアウトエリア１０５のデータが記録されている。
【００１８】
既存のＣＤに記録されているＴＯＣデータは、図５Ｂに示すように、サブコードのＱチャンネルを使用している。サブコードは、９８ビットを１フレームとするデータ構造を有している。この９８ビット中の７２ビットがデータである。ＴＯＣデータの場合では、図５Ｂに示すフォーマットを有している。
【００１９】
プログラム数が６の場合では、ＴＯＣ中のデータ構造は、図６に示すものとされる。ＰＯＩＮＴが００〜９９の場合では、ＰＭＩＮ、ＰＳＥＣ、ＰＦＲＡＭＥが各プログラムのスタートアドレス（絶対時間）を示す。ＰＯＩＮＴがＡ０の場合では、ＰＭＩＮがディスクの最初のプログラムのプログラム番号を示し、ＰＳＥＣ、ＰＦＲＡＭＥが００とされる。ＰＯＩＮＴがＡ１の場合では、ＰＭＩＮが最後のプログラムのプログラム番号を示し、ＰＳＥＣ、ＰＦＲＡＭＥが００とされる。ＰＯＩＮＴがＡ２の場合では、ＰＭＩＮ、ＰＳＥＣ、ＰＦＲＡＭＥがリードアウトが開始するアドレスを示す。そして、これらの内容は、図６に示すように、３回ずつ繰り返される。さらに、リードイン領域に繰り返して記録される。このようなＴＯＣデータは、ＣＤの装着時に再生装置により読み取られ、装置内部のメモリに記憶される。
【００２０】
図７は、この発明の一実施例におけるＴＯＣデータの構成を示すものである。既存のＣＤの場合では、上述したように、Ｑチャンネルのサブコードの１フレーム内の７２ビットのデータを使用して、総プログラム（曲）数と、各プログラムの記録位置とが管理される。より具体的には、００〜９９までの値をとりうるプログラム番号と各プログラムに対応する開始アドレス（絶対時間）と、最初のプログラム番号と、最後のプログラム番号と、リードアウトが始まるアドレスとが記録されている。このＱチャンネルのサブコードに加えて、図７に示すようなＲチャンネル〜Ｗチャンネルで構成されるデータがＴＯＣデータとして記録されている。
【００２１】
Ｒ〜Ｗチャンネルからなるデータの先頭の２フレームは、同期パターンＳ０、Ｓ１である。残りの９６フレームには、それぞれが６ビットのシンボルが９６シンボル含まれる。この９６シンボルが２４シンボルずつに４分割される。この２４シンボルを１パックと称し、４パックを１パケットと称する。
【００２２】
各パックの先頭位置にそのパックに記録される情報の記録モードを設定するモード情報と、テキスト情報の種類を示す識別情報を有するＩＤ１とその他の識別情報を有するＩＤコード（ＩＤ２、ＩＤ３およびＩＤ４）を含む計２４ビットのＩＤコードが記録されるＩＤ領域１が配置される。このＩＤ領域１の後に、８ビット単位で主データに付随するテキスト情報が記録されるテキスト領域２が配される。さらに、各パックに、誤り検出符号として、巡回符号（ＣＲＣ：cyclic redundancy code）による誤り検出を行うための１６ビットのデータが記録されるＣＲＣ領域３が配される。
【００２３】
この発明によるＲ乃至Ｗチャンネルのサブコードの説明に先立ち、既存のグラフィック情報をＣＤへ記録する際のデータフォーマットについて説明する。図８Ａは、図４に示したサブコード部１３７の構造を模式的に示す図である。サブコードは、８ビットで形成され、このサブコードを形成するビット群は、Ｐ、Ｑ、Ｒ、Ｓ、Ｔ、Ｕ、Ｖ、Ｗの８チャンネルに分割されている。また、サブコード部１３７は、Ｐ乃至Ｗチャンネルから構成されるフレームが９８フレーム集めたものである。
【００２４】
最初の２フレームＳ０、Ｓ１は、同期パターンであり、第３番目のフレームから第９８番目のフレームまでは、Ｐチャンネルのデータのみから成るサブコードＰと呼ばれるブロック１２、Ｑチャンネルのデータのみから成るサブコードＱと呼ばれるブロック１３、Ｒ乃至Ｗチャンネルのデータのみから成るブロック１１が含まれている。
【００２５】
画像情報をサブコードとして記録し再生する方式においては、図８Ｂに示すように、Ｒ乃至Ｗチャンネルの６ビットで１シンボルを形成し、データ最小単位を０〜２３の２４個のシンボルで形成されるパックとしている。すなわち、ブロック１１が４個のパックに分割される。パックを形成する２４シンボルの内、最初のシンボル（以下シンボル０という）は、ＭＳＢ（most significant bit）側から３桁がモードを示し、ＬＳＢ（least significant bit ）側から３桁がアイテムを示す。このモードおよびアイテムを示すシンボル０に続くシンボル１は、命令の種類を示すインストラクションである。インストラクションに続くシンボル３およびシンボル４は、誤り訂正符号であるパリティＱである。このパリティＱに続くシンボル４からシンボル１９までの各シンボルは、データフィールドを形成し、色情報等を含む。データフィールドに続くシンボル２０からシンボル２３までの各シンボルはパック内の情報を保護するための誤り訂正符号であるパリティＰである。
【００２６】
モードには、ゼロモード、ライングラフィックスモード、ＴＶグラフィックスモードおよびユーザモードの４種類のモードが存在する。ゼロモードは、例えば表示画面に対して何らの操作も行わないモードである。すなわち、画像をそのままにしておきたいときのためのモードであり、パック内のデータは全て０である。ライングラフィックスモードは、例えばプレーヤの前面に液晶ディスプレイ等を設けてプログラムの説明文等を表示するためのモードである。
【００２７】
また、画像処理命令としては、例えば画面全体をある色でぬりつぶす命令、画面状の１フォントに２種類の色を使用して絵を描く命令、画面全体を縦方向又は横方向に移動させる命令等がある。通常、ＣＤグラフィックスでは、文字データを表示する場合、データフィールドは、ドットデータとして扱われ、例えば‘Ａ’というキャラクタは、図８Ｃに示すように、６×１２のドットのぬりつぶしで表現できる。
【００２８】
上述したように、グラフィックス情報をサブコード中に挿入する既存の方法（ＣＤグラフィックス）では、Ｒ乃至Ｗチャンネルのデータを処理するためには、専用の処理回路が必要であり、また、パリティＰおよびパリティＱを用いた誤り訂正方法が複雑なので、処理回路は複雑である。そのため、既存の方法は、Ｒ乃至Ｗチャンネルのサブコードを利用して単にテキスト情報を記録し再生する用途では不適当であった。
【００２９】
そこで、この発明の一実施例では、Ｒ乃至Ｗチャンネルを利用してテキスト情報を記録し、再生する場合、より簡単な処理回路で実現できる、ＣＤテキストフォーマットを採用するものである。図９Ａは、図７で示したデータフォーマットをシリアルデータとして示した図である。図９Ａに示すように、先頭から３２ビットのデータ（図９Ａでは、２４ビットのみ示す）をバイト毎のデータに区切り、これらのバイトを識別用のＩＤ１、ＩＤ２、ＩＤ３、ＩＤ４に対して割り付け、ＩＤ領域１を形成する。その後のテキスト領域２もバイト単位のデータに区切られる。このようなバイト単位の処理によって、Ｑチャンネルの信号の処理方法で処理することが可能になり、簡単な処理回路の構成とできる。
【００３０】
また、図８Ａに示したデータフォーマットでは、パリティＰおよびパリティＱを用いた誤り訂正符号が用いられているのに対して、ＣＤテキストのデータフォーマットでは、ＣＲＣによる誤り検出符号を用いて誤りを検出するのにとどめ、誤りが検出されると再度データを読み出すようにしている。このため、データは、ＴＯＣ内で、パック毎に例えば４重書きされ、さらに、一連のデータ列がパケット単位で繰り返し記録されている。このような多重記録によって、誤り訂正のための複雑な回路を省略することができる。
【００３１】
なお、パック単位の多重書きは、４重書きに限らないし、また、多重書きの単位もパック単位に限らず、例えばパケット単位、あるいは数パケットを周期としてこの周期単位で多重書きしてもよい。
【００３２】
また、ＩＤ領域１の先頭のＩＤ１は、図９Ｂに示すように、従来の１シンボルより２ビット多い８ビットで扱うことになる。さらに、既存のＲ乃至Ｗチャンネルのサブコードを復号化する機能を有するＣＤ再生装置に装着してもこの再生装置が誤動作を起こさないように、ＭＳＢから３ビットは、上述のモードと同様のデータを書き込み、且つこの３ビットで示されるモードとしては未定義のコード例えばモード４（“１００”）を割り付ける。こうすることで、既存の再生装置に装着しても認識不可能なモードが検出されるだけなので、再生装置は動作を停止するだけであり誤動作するおそれがない。また、未定義のモードは、モード４の他に、モード５およびモード６があり、モード４の代わりにこれらのモードを用いることもできる。
【００３３】
また、ＩＤ１によりモード４が指示されるこの発明の一実施例では、パック内のデータフォーマットは、図１０に示すように、８ビット（１バイト）毎に区切られたＩＤ１、ＩＤ２、ＩＤ３、ＩＤ４と、テキストバイトtext１〜text１２と、１２ビットのＣＲＣコードとを含むものである。
【００３４】
ＩＤ１は、８ビットの構造を有し、ＩＤ１とパックで扱われるデータの内容が図１１に示すように規定されている。ＩＤ１は、上述したように、モード４を上位側のビットで指示するために、（８×ｈ）（ｈは１６進数を意味し、×が下位側の４ビットの値を意味する）。
【００３５】
ＩＤ１は、text１以降に続く文字列の内容を示している。（８０ｈ）はアルバム名／プログラム名、（８１ｈ）は演奏者／指揮者／オーケストラ名、（８２ｈ）は作詩者、（８３ｈ）は作曲者、（８４ｈ）は編曲者、（８５ｈ）はメッセージ、（８６ｈ）はｄｉｓｃＩＤ、（８７ｈ）は検索用キーワード、（８８ｈ）はＴＯＣ、（８９ｈ）は２ｎｄＴＯＣ、（８ａｈ）はユーザ、（８ｂｈ）は歌詞、（８ｃｈ）は歌詞２、（８ｄＨ）は予約、（８ｅｈ）は予約、（８ｆｈ）はサイズである。
【００３６】
ＩＤ２は、パックのtext位置から書かれている文字列がどのトラックに所属するかを示すものである。図１２に示すように、ＩＤ２には、１から９９までのトラックナンバが記録される。トラックナンバは１から９９であるので、これ以外の数値「０」や「１００」（６４ｈ）以上は特別な意味を持つ。「００」はディスク全体を代表することを意味する。ＭＳＢは常に０とされて、１は拡張用のフラグとなる。
【００３７】
ＩＤ３はブロックに付された連続番号である。図１３に示すように、ブロック内の連続番号は、００から２５５（０からＦＦｈ）までである。ＩＤ３＝０は、常にＩＤ１＝８０ｈの先頭パックであり、以降８０が終了すれば、８１、８２とに戻って繰り返される。付加情報により無いＩＤ１は次のＩＤ１に置き換えられるが、必ず小さい番号順に記録される。
【００３８】
ＩＤ４は、現パックの文字コードと、その文字列の文字位置を示している。図１４に示すように、最初の４ビットはキャラクタコードで、「００００」はＡＳＣＩＩコード、「０００１」、「００１０」、「００１１」、「０１００」は、ＩＳＯ規格に準拠の８８５９−１(a) 、８８５９−１(b) 、８８５９−１(c) 、８８５９−１(d) コード、「０１０１」は予約、「０１１０」はＪＩＳカナコード、「０１１１」はＭＳ−ＪＩＳコードであることを示している。なお、「１０００」以降は予約されている。ＬＳＢの４ビットは、現パックのtext１の文字が何文字目かを示している。「００００」が最初の文字、「０００１」が２番目の文字、「００１０」が３番目の文字、以下、「００１１」、「０１００」、・・・は、４番目、５番目、・・・の文字である。
【００３９】
図１５は、（ＩＤ１＝８０ｈ）のパックの構成例を示すものである。（ＩＤ１＝８０ｈ）は、アルバム名と最大９９曲の全プログラム名を記録するために用いられる。各々の文字情報の最後の文字は必ずヌル（００ｈ）で終端される。次のプログラム名はそのヌルの続きに、連続して書かれていく。図１６Ａから図１６Ｄは、アルバムタイトルが「ＢＥＡＴＬＥＳスペース（図中ではＳＰと表されている）ＴＨＥスペースＢＥＳＴ」、第１曲目の曲名が「ＬＯＶＥスペースＭＥスペースＤＯ」、第２曲目の曲名が「ＴＨＥスペースＷＡＶＥ」、第３曲目の曲名が「ＰＬＥＡＳＥスペースＨＥＬＰ」が記録されている例を示す。
【００４０】
図１６Ａに示すように、アルバムタイトルを示すので、ＩＤ１には、（８０ｈ）が記録され、ＩＤ２には、アルバムタイトルがディスク全体を示すので、（００ｈ）が記録されている。さらに、ＩＤ３には、１番目のパックを意味する（００ｈ）が記録され、ＩＤ４には、ＡＳＣＩＩコードを意味し、且つ前のパックで表示済みの文字数０である（００ｈ）が記録されている。text1 からtext12には、“ＢＥＡＴＬＥＳスペースＴＨＥスペース”で示される１２文字が入り、このパックに入りきれない文字、すなわち、“ＢＥＳＴスペースＬＯＶＥ”の９文字は２番目のパックに入る。
【００４１】
図１６Ｂに２番目のパックの内容を示す。ＩＤ１には、アルバムタイトルを示すので、（８０ｈ）が記録され、ＩＤ２には、アルバムタイトルがディスク全体を示すので、（００ｈ）が記録されている。さらに、ＩＤ３には、２番目のパックを意味する（０１ｈ）が記録され、ＩＤ４には、ＡＳＣＩＩコードを意味し、且つ前のパックで表示済みの文字数１２の１６進表示の（０Ｃｈ）が記録されている。text1 からtext12には、“ＢＥＳＴスペースＬＯＶＥ”で示される９文字が入るとともに、アルバムタイトルの終端を示すヌルコードと、１曲目のプログラム名である“ＬＯＶＥスペースＭＥ”の７文字がパック２に入り、入りきれない“スペースＤＯ”の３文字は、３番目のパックに入る。
【００４２】
同様に、図１６Ｃに３番目のパックの内容を示す。ＩＤ１には、プログラム名を示すので、（８０ｈ）が記録され、ＩＤ２には、パック３に記録される先頭文字は１曲目のもであることを示す（００ｈ）が記録されている。さらに、ＩＤ３には、３番目のパックを意味する（０２ｈ）が記録され、ＩＤ４には、ＡＳＣＩＩコードを意味し、且つ前の２番目のパックで表示済みの、１曲目のタイトル文字数７文字の１６進表示の（０７ｈ）が記録されている。text1 からtext12には、“スペースＤＯ”で示される３文字が入るとともに、１曲目のタイトルの終端を示すヌルコードと、２曲目のプログラム名である“ＴＨＥスペースＷＡＶＥ”の８文字がパック３に入る。
【００４３】
同様に、図１６Ｄに４番目のパックの内容を示す。ＩＤ１には、プログラム名を示すので、（８０ｈ）が記録され、ＩＤ２には、パック４に記録される先頭文字は３曲目のもであることを示す（０３ｈ）が記録されている。さらに、ＩＤ３には、４番目のパックを意味する（０３ｈ）が記録され、ＩＤ４には、ＡＳＣＩＩコードを意味し、且つ前の３番目のパックで表示済みのタイトル文字数がないので、１６進表示の（００ｈ）が記録されている。text1 からtext12には、“ＰＬＥＡＳＥスペースＨＥＬＰ”で示される１１文字が入るとともに、１曲目のタイトルの終端を示すヌルコードが記録される。
【００４４】
図１７は、（ＩＤ１＝８１ｈ）のパックの構成例を示すものである。（ＩＤ１＝８１ｈ）は、演奏者／指揮者／オーケストラ名等、アルバム名や各プログラム名に対応する人物名を記録するのに用いられる。図１８Ａから図１８Ｃに示すように、各々の名前は、上述の図１６Ａから図１６Ｄに説明したのと同様に、ヌル（００ｈ）で終端とされた後、次々と連続して書かれていく。図１８Ａから図１８Ｃは、アルバムを代表する演奏者が「ＭＩＣＨＥＡＬスペースＪＡＣＫＳＯＮ」、１曲目の演奏者が「ＪＡＮＥＴスペースＪＡＣＫＳＯＮ」、２曲目の演奏者が「Ｍ．ＪＡＣＫ・・・」である場合の例である。
【００４５】
図１９は、（ＩＤ＝８５ｈ）のパックの構成例を示すものである。（ＩＤ＝８５ｈ）は、アルバム名や各プログラム名を記録するのと同じ要領で、各プログラム毎のメッセージを記録するのに用いられる。図２０Ａから図２０Ｄに示すように、メッセージはヌル（００ｈ）で終端された後、次々と連続して書かれていく。ＩＤ２は、１から６３まではメッセージに同期するトラックナンバを意味し、それ以外の数値は夫々特別な意味をもつ。
【００４６】
「００」はアルバムを代表するメッセージになる。「７０」から「７ｆ」は、例外的に特性の国の言葉でメッセージを記録した場合に用いられる。「７０」はドイツ語、「７１」はフランス語、「７２」はスペイン語、「７３」はイタリア語、「７４」はオランダ語、「７５」はロシア語、「７８」は中国語、「７９」は日本語、「７Ａ」は韓国語等である。図２０Ａ、図２０Ｂ、図２０Ｃに示すように、ディスクに「ＴｈａｎｋスペースＹｏｕスペースＶｅｒｙスペースｍｕｃｈスペースＰｌｅａｓｅスペースＥｎｊｏｙ！」というメッセージが記録されている例を示す。図２０Ｄには、１５曲目に「ＳｅｅスペースＹｏｕスペースＢｙｅ」というメッセージがある場合を示している。この１５曲目は、（ＩＤ２＝０Ｆｈ）を復号することで判別できる。
【００４７】
図２１は、（ＩＤ１＝８６ｈ）のパックの構成例である。（ＩＤ１＝１）はディスクＩＤを示しており、ここには、ＩＤコードの他に、発売元の名前やＰＯＳ（Point Of Sale)  コード、発売年等を記録するようにしても良い。
【００４８】
図２２は、（ＩＤ１＝８７ｈ）のパックの構成例である。（ＩＤ１＝８７ｈ）は検索用キーワードで、検索ＩＤは２バイトのジャンルコードとディスク全体を代表する人物名ないしキーワードで決められる。ここで表現できないジャンルコードの場合には、text３以降で／文字列／で捕捉することが可能である。図２３Ａから図２３Ｃに示すように、ジャンルコード「００」「１７」、ジャンル捕捉文字列「ＪａｐａｎｅｓｅＲｏｃｋ’８０」、検索用キーワードが「Ｙ．Ｏｚａｋｉ」の場合を示している。
【００４９】
図２４Ａおよび図２４Ｂは、（ＩＤ１＝８８ｈ）のパックの構成例である。（ＩＤ２＝００ｈ）の場合の構成を図２４Ａに示す。（ＩＤ１＝８８ｈ）はＴＯＣ（Table Of Contents ）で、通常のＴＯＣ情報をＲからＷの情報を記録するために設けられている。（ＩＤ２＝０１ｈ〜６３ｈ）の場合の構成を図２４Ｂに示す。
【００５０】
図２５は、（ＩＤ１＝８９ｈ）のパックの構成例である。（ＩＤ１＝８９ｈ）が２ｎｄＴＯＣで、通常のＴＯＣの中で表せない特殊な部分をポイントするために設けられている。この例では、２ｎｄＴＯＣは、所謂サビの部分のような曲の中で最も印象深い部分（ジャンル情報）を示すのに利用されている。text１は優先度を示し、（００ｈ）が最優先、（０１ｈ）が次となり、（ＦＦｈ）が最低となる。text２は、ポイントの総数を示し、１ディスクについて３ポイント程度が推奨される。text３〜text６は予約されている。text７、text８、text９によりダイジェストのスタートアドレスが指示され、その後の３個のテキストバイトtext１０、text１１、text１２により、ダイジェストのエンドアドレスが指示される。このアドレスは、例えばＣＤ上の絶対時間情報であり、テキストバイトの各バイトによって、分（００〜７４の値）、秒（００〜５９の値）、フレーム（００〜７４の値）の各桁の数字が記録される。
【００５１】
図２６Ａに示すように、ＩＤ１には、ダイジェストのためのパックを示す（８９ｈ）が記録され、ＩＤ２には、ダイジェスト再生が指定されているプログラム番号として（０１ｈ）が記録されている。さらに、ＩＤ３には、連番を示す番号として例えば（１１ｈ）が記録され、ＩＤ４には、現在のブロック番号として（００ｈ）が記録されている。
【００５２】
text1 には、優先番号として（０２ｈ）が記録され、ダイジェストポイントが指定されているプログラムの中での優先度を示す。text2 には、１つのディスク中に設定されているダイジェストポイントが記録されており、この場合では、（１０ｈ）が記録され、３箇所が設定されていることを示す。text3 から、text6 は、予約されており、text7 から、text9 には、ダイジェストポイントの起点アドレスとして１分２秒１０フレームが記録されている。text10から、text12には、ダイジェストポイントの終点アドレスとして１分４３秒２０フレームが記録されている。
【００５３】
次のパックを図２６Ｂに示す。ＩＤ１には、ダイジェストのためのパックを示す（８９ｈ）が記録され、ＩＤ２には、ダイジェスト再生が指定されているプログラム番号として（０２ｈ）が記録されている。さらに、ＩＤ３には、連番を示す番号として例えば（１２ｈ）が記録され、ＩＤ４には、現在のブロック番号として（０１ｈ）が記録されている。
【００５４】
text1 には、優先番号として（０１ｈ）が記録され、ダイジェストポイントが指定されているプログラムの中で２番目の優先度であることを示す。text2 には、１つのディスク中に設定されているダイジェストポイントが記録されており、この場合では、（１０ｈ）が記録され、３箇所が設定されていることを示す。text3 から、text6 は、予約されており、text7 から、text9 には、ダイジェストポイントの起点アドレスとして１０分２秒２０フレームが記録されている。text10から、text12には、ダイジェストポイントの終点アドレスとして１０分２０秒１０フレームが記録されている。
【００５５】
次に第３のパックを図２６Ｃに示す。ＩＤ１には、ダイジェストのためのパックを示す（８９ｈ）が記録され、ＩＤ２には、ダイジェスト再生が指定されているプログラム番号として（０３ｈ）が記録されている。さらに、ＩＤ３には、連番を示す番号として例えば（１３ｈ）が記録され、ＩＤ４には、現在のブロック番号として（０２ｈ）が記録されている。
【００５６】
text1 には、優先番号として（００ｈ）が記録され、ダイジェストポイントが指定されているプログラムの中で優先度が一番高いことを示す。text2 には、１つのディスク中に設定されているダイジェストポイントが記録されており、この場合では、（１０ｈ）が記録され、３箇所が設定されていることを示す。text3 から、text6 は、予約されており、text7 から、text9 には、ダイジェストポイントの起点アドレスとして１２分５０秒４０フレームが記録されている。text10から、text12には、ダイジェストポイントの終点アドレスとして１３分１０秒２０フレームが記録されている。
【００５７】
なお、上記起点アドレスおよび終点アドレスは、絶対時間であり、ディスクのプログラムの起点からの絶対番地である。
【００５８】
図２７Ａおよび図２７Ｂは、（ＩＤ１＝８ｆｈ）のパックの構成例である。（ＩＤ１＝８ｆｈ）はサイズを示すもので、サイズは１ブロックにおける各項目のパックの構成数をまとめたものであり、図２７Ａおよび図２７Ｂの２パックにより構成される。
【００５９】
上述したように、この発明に係る記録媒体例えばＣＤは、主データ（オーディオデータ）に付随して、ＴＯＣ領域に記録されるサブコードのＲ乃至Ｗチャンネルに対応する６ビットで構成されるシンボルの２４シンボル分を１パックとし、４パック分を１パケットとして、パケット単位でデータが構成され、各パックの先頭位置にそのパックで記録される情報の記録モードを設定するモード情報が記録されるとともに、各パックに書き込まれた情報が８ビット単位で識別情報と、テキスト情報またはダイジェスト情報が記録されたものである。
【００６０】
この発明の一実施例のシステム全体の構成を図２８に示す。図２８において、４１が第１の再生装置、４２が第２の再生装置、４３が切換装置、４４が制御装置である。制御装置４４にオーディオ出力用のスピーカ４５が接続されている。再生装置４１と切換装置４３とがバス４６を介して接続され、再生装置４２と切換装置４３とがバス４７を介して接続され、切換装置４３と制御装置４４とがバス４８を介して接続されている。
【００６１】
この一実施例では、再生装置４１がＣＤテキストフォーマットのＣＤを再生することが可能なものであり（すなわち、ＣＤテキスト対応のＣＤ再生装置であり）、一方、再生装置４２は、ＣＤテキストフォーマットのＣＤを再生できないものである（すなわち、ＣＤテキスト非対応のＣＤ再生装置である）。さらに、再生装置４１は、再生するＣＤとそれぞれ対応してユーザがテキストデータ（例えば８バイトのテキストデータ）を登録することが可能な機能を有している。この登録されたテキストデータをカスタムファイルと称する。
【００６２】
より具体的な例としては、車載のオーディオシステムにおいて、再生装置４１、再生装置４２が単一のＣＤのプレーヤ、またはＣＤチェンジャーであり、制御装置４４がユーザが操作できるとともに、これらを制御するコントローラである。但し、この発明は、３台以上の再生装置を含むシステムに対しても適用可能である。
【００６３】
再生装置４１、再生装置４２、切換装置４３および制御装置４４には、それぞれマイクロコンピュータが含まれている。バス４６、４７、４８は、これらのマイクロコンピュータの通信に必要なクロック、データと、オーディオ信号（アナログまたはディジタルの形態）の伝送のために設けられている。
【００６４】
図２９は、切換装置４３とバスの構成を示す。バスは、リセット信号ライン、クロック信号ライン、バスオン信号ライン、データライン、およびオーディオ信号ラインからなる。切換装置４３内の１チップマイクロコンピュータ４９は、リセット信号ライン、クロック信号ライン、バスオン信号ライン、データラインを介してなされるマイクロコンピュータ同士の通信のモニタを行い、また、スイッチ回路５０を制御して、制御装置４４に接続されるオーディオラインを切り換える。
【００６５】
リセット信号は、電源接続時等で、再生装置４１および４２のそれぞれのマイクロコンピュータをリセットするための信号であり、制御装置４４から出力される。バスオン信号は、通信の開始時（具体的には、制御装置４４において、何からかの再生機能が選択された時）に制御装置４４から再生装置に対して出力される信号である。
【００６６】
通信は、クロック、データを使用した同期式通信であり、シリアルデータが伝送される。クロック信号は、制御装置４４から基本的に供給される。バスオン信号がハイレベルとなり次第、通信が開始されるが、通信管理は、全て制御装置４４が行う。データラインがローレベルの時に、制御装置４４から再生装置４１または４２の方向でコマンドが送信され、データラインがハイレベルの時に、再生装置４１または４２から制御装置４４の方向に通信がなされる。
【００６７】
データラインを介して伝送されるデータは、アドレス、オペレーション、パリティ、エラーから構成される。アドレスは、２バイト、オペレーションは、２〜１１バイト、パリティバイトおよびエラーバイトは、それぞれ１バイトで構成される。データの送り先、送り元は、アドレスによって区別される。１個のデータは、６〜１５バイト長である。
【００６８】
制御装置４４の一例を図３０に示す。図３０において、５１が制御装置４４内に備えられているメインのマイクロコンピュータである。マイクロコンピュータ５１は、上述したように、バス４８を介して再生装置４１、４２、切換装置４３のそれぞれのマイクロコンピュータと通信を行うことが可能とされている。図３０では、バス４８のオーディオ信号のラインを４８ａで示し、それ以外のラインを４８ｂで示す。
【００６９】
マイクロコンピュータ５１に対して表示用ドライバ５２を介して表示装置５３が接続されている。表示装置５３は、例えば液晶表示装置である。表示装置５３は、制御装置４４の外部に接続されたテレビジョンモニタ等の表示デバイスであっても良い。マイクロコンピュータ５１には、操作部５４からの操作信号が与えられる。操作部５４は、ＣＤを再生するためのキー、プログラムの選択、サーチのためのキー、カスタムファイルを登録するためのキー、カスタムファイル、ＣＤテキスト等を選択して表示するためのキー等を含んでいる。
【００７０】
さらに、制御装置４４には、テープデッキ、チューナ、ＭＤ（ミニディスク）プレーヤ等の他のオーディオソース５５が含まれている。切換装置４３で選択され、制御装置４４に対して入力される再生装置４１または４２からのオーディオ信号と、他のオーディオソース５５からのオーディオ信号とがスイッチ回路５６で選択され、ボリューム・トーンコントロール部５７に供給される。操作部５４をユーザが操作することによってマイクロコンピュータ５１から出力されるコントロール信号によって、スイッチ回路５６およびボリューム・トーンコントロール部５７が制御される。ボリューム・トーンコントロール部５７に対してオーディオ出力アンプ５８を介してスピーカ４５が接続される。
【００７１】
ＣＤテキストおよびカスタムファイルに対応する再生装置４１の一例を図３１に示す。図３１において、６１が再生されるＣＤである。再生装置４１としては、単一のＣＤを再生するプレーヤに限らず、オートチェンジャ機能により、選択された１枚のＣＤを再生する構成も可能である。ＣＤ６１は、スピンドルモータ６３により回転駆動され、光学ピックアップ６２により記録内容が読み出される。
【００７２】
この光学ピックアップ６２からの信号は、ＲＦアンプ６４に供給される。ＲＦアンプ６４は、ＲＦ信号の処理回路の機能を有し、ＲＦ信号の２値化、トラッキングエラー信号ＴＥ、フォーカスエラー信号ＦＥの生成等の処理を行う。これらのエラー信号ＴＥ、ＦＥがサーボ信号処理回路６５に供給される。サーボ信号処理回路６５によって、フォーカスコントロールおよびトラッキングコントロールの処理がなされる。光学ピックアップ６２内のフォーカスアクチュエータおよびトラッキングアクチュエータがドライブ回路６６および６７を介された信号によってドライブされる。図示しないが、ピックアップ６２をディスク径方向に送る装置もサーボ信号処理回路６５によって制御される。サーボ信号処理回路６５には、コントローラ（１チップＣＰＵ）７０からの制御コマンドを受け取るインターフェースが設けられている。
【００７３】
ＲＦアンプ６４からの２値化された再生信号がＰＬＬ６８、ＥＦＭ復調回路６９およびタイミング生成回路７１に供給される。ＰＬＬ６８は、再生信号と同期したクロックを生成する。ＥＦＭ復調回路６９からのディジタルオーディオ信号は、Ｄ／Ａ変換器７２でアナログのオーディオ信号に変換されて、オーディオ信号ライン４６ａに取り出される。タイミング生成回路７１の出力信号がＣＬＶプロセッサ７３に供給される。ＣＬＶプロセッサ７３によってスピンドルモータ６３がＣＬＶ駆動される。
【００７４】
また、図３１に示すＣＤ再生装置は、ＥＦＭ復調回路６９で分離されたサブコードがサブコードプロセッサ７４に供給される。サブコードプロセッサ７４では、サブコードのエラー検出等の処理がなされ、サブコードのＱチャンネル、Ｒ〜Ｗチャンネルとが分離されて出力される。サブコードＱが１チップマイクロコンピュータで構成されたコントローラ７０に供給され、Ｒ〜ＷがＣＤテキストデコーダ７５に供給される。７０ａは、コントローラ７０の内部のＲＡＭを示す。
【００７５】
ＣＤテキストデコーダ７５は、Ｒ〜Ｗチャンネルのサブコードを復号する。ＣＤテキストデコーダ７５には、小容量のＲＡＭを有しており、コントローラ７０の要求に応じてデータを出力する。出力されたＣＤテキストデータは、コントローラ７０において、システムにとって必要なデータが選択され、ＣＤテキストメモリ７６に格納される。ＣＤテキストメモリ７６は、例えばＳＲＡＭで構成される。
【００７６】
コントローラ７０は、サーボ信号処理回路６５にコマンドを出してサーボ系および復号の制御を行う。さらに、コントローラ７０と関連してカスタムファイルデータを格納するためのカスタムファイルメモリ７７が設けられている。カスタムファイルメモリ７７は、例えば不揮発性メモリの構成とされている。そして、制御装置４４とバス４６ｂを介して通信を行う。コントローラ７０は、制御装置４４からのコントロールコマンドに応じて再生装置４１の動作状態を制御し、制御装置４４に対してＣＤテキストデータおよびカスタムファイルデータを送信する。
【００７７】
カスタムファイルデータは、再生装置４１が再生するＣＤと１対１に付けられたテキストデータであり、通常ディスク名などを記録する。この一実施例では、カスタムファイルメモリ７７に概念的に図３２に示すようにカスタムファイルデータが格納されている。すなわち、再生するＣＤに固有の識別情報としてのＴＯＣデータ（例えば総プログラム数およびディスクの総時間）と８バイトのカスタムファイルデータとが一緒に記憶されている。カスタムファイルデータのバイト数は、拡張可能である。ディスクの総プログラム数および総時間は、前述したＴＯＣデータ（図６参照）中のＱチャンネルのデータによって示されている。
【００７８】
カスタムファイルメモリ７７は、不揮発性メモリであるために、再生装置の電源がオフとされても、その記憶内容が保存される。カスタムファイルデータは、制御装置４４において、ユーザが操作部５４を操作することによって登録される。カスタムファイルデータは、一例として、最大で１０枚のＣＤまで登録可能とされている。カスタムファイルの登録済みのＣＤを再生した場合には、総プログラム数および総時間に関する照合が行われ、ディスクの識別が行われる。なお、コントローラ７０内のＲＡＭ７０ａおよびＣＤテキストメモリ７６の記憶内容は、電源がオフ、ＣＤマガジンを取り外すと、消去される。
【００７９】
この発明の一実施例では、このようにユーザが作成したカスタムファイルに限らず、ＣＤテキストデータの一部をカスタムファイルメモリ７７に格納可能としている。後述するように、再生装置４１がＣＤテキストフォーマットのＣＤを再生した場合で、そのＣＤについてのカスタムファイルの登録がない場合では、例えばＣＤテキストデータ中のディスクタイトルがカスタムファイルデータとして記憶される。
【００８０】
上述のこの発明の一実施例において、システムが接続された際、あるいはシステムが何らかの理由によりリセットされた際に、図３３のフローチャートにイニシャルリンクの処理がなされる。図３３において、制御装置４４が行う処理が左側に示され、再生装置４１、４２が行う処理が右側に示されている。イニシャルリンクの処理が開始すると、ステップＳ１において制御装置４４が制御されている装置を調べ、装置番号の割り付けを行い、装置番号を送信する。再生装置側は、この装置番号を受信する。
【００８１】
次に、ステップＳ３において再生装置は、それが対応している機能を示すデータを制御装置４４に対して送信する。再生装置４１の場合では、カスタムファイルに対応している機能を示すデータとＣＤテキストに対応している機能を示すデータを送信する。制御装置４４は、このデータを受信することによって、カスタムファイル対応の再生装置の番号を記憶し、また、ＣＤテキスト対応の再生装置の番号を記憶し、さらに、カスタムファイル対応の再生装置の装置番号を送信する（ステップＳ４）。再生装置は、カスタムファイル対応の再生装置の装置番号を受信する（ステップＳ５）。
【００８２】
次のステップＳ６において、制御装置４４は、表示装置５３の対応言語をＣＤテキスト対応の再生装置へ送信する。ＣＤテキストフォーマットでは、８カ国の言語が許容されている。ＣＤテキスト対応の再生装置は、対応言語のデータを受信し、このデータに基づいて記憶するＣＤテキストデータの言語を決定する（ステップＳ７）。以上でイニシャルリンクの処理が終了する。イニシャルリンクの処理によって、再生装置４１、４２は、それぞれ自身に割り付けられた装置番号、カスタムファイル対応装置の装置番号、並びに対応すべきＣＤテキストデータを知ることが可能となる。
【００８３】
イニシャルリンクの処理の後に、ＣＤを再生する直前の処理がＴＯＣデータの読み込みとカスタムファイルデータの取込みである。カスタムファイルおよびＣＤテキストに対応する再生装置４１の処理を図３４に示す。再生すべきＣＤを装着した場合、あるいはチェンジャーにおいて、再生すべきディスクを選択した場合に、ステップＳ１１で示すＴＯＣデータの読み込みが開始される。
【００８４】
読み込まれたＴＯＣデータの総プログラム数および総時間のデータがカスタムファイルメモリ７７に存在するかどうかが照合される（ステップＳ１２）。この一実施例では、再生装置４１の一つのみがカスタムファイルに対応した装置であるが、若し、再生装置４１の他にカスタムファイルに対応した再生装置がシステムに含まれる場合では、全ての装置に関して照合がなされる。ステップＳ１３において、データが照合されたかどうかが決定される。
【００８５】
照合された場合、すなわち、読み込まれたＴＯＣデータがカスタムファイルに存在している場合では、処理がステップＳ１４に移る。このステップＳ１４において、カスタムファイルデータ（登録済みのＴＯＣデータおよびテキストデータ）がカスタムファイルメモリ７７からコントローラ７０のＲＡＭ７０ａに記憶される。そして、ステップＳ１５において、データＲ〜Ｗの読み込みが中止される。この読み込みの中止は、処理の迅速化のためになされる。既存のＣＤでも、９９曲が記録されている場合では、約４秒間を読出しに必要とするので、Ｒ〜Ｗチャンネルの読み込みを中止することによる処理の迅速化の効果が大きい。
【００８６】
ステップＳ１３において、データが照合されなかった場合、ステップＳ１６において、ＣＤテキストフォーマットのＣＤかどうかが決定される。これは、サブコードＲ〜Ｗ中のＩＤ１〜ＩＤ４に基づいて決定される。ステップＳ１６において、ＣＤテキストフォーマットではないと判断されると、処理は終了される（ステップＳ１９）。なお、図３４では、省略しているが、通常のディスク再生のために必要なサブコードＱの読み込みがなされる。
【００８７】
ステップＳ１６でＣＤテキストのフォーマットのディスクであると決定された場合では、処理がステップＳ１７に移る。再生装置４１は、カスタムファイルおよびＣＤテキストの両方に対応しているので、ステップＳ１７では、ＴＯＣデータのＲ〜Ｗを使用したＣＤテキストデータがＣＤテキストメモリ７６に記憶される。これと共に、ＣＤテキストデータの一部のデータ（ＣＤ全体に対するディスクタイトル）がカスタムファイルメモリ７７にＴＯＣデータと対応付けられて記憶される。次のステップＳ１８において、ＣＤテキスト中のディスクタイトルからなるカスタムファイルデータがコントローラ７０のＲＡＭ７０ａに記憶される。
【００８８】
このように、再生装置４１では、再生しようとするＣＤがカスタムファイルとして登録されているか、またはＣＤテキストフォーマットの場合に、コントローラ７０のＲＡＭ７０ａにカスタムファイルデータ（例えばディスクタイトル）が記憶される。そして、このＣＤが再生される際に、制御装置４４にオーディオ信号と共に表示データとして転送され、制御装置４４の表示装置５３により表示される。
【００８９】
カスタムファイルおよびＣＤテキストに対応しない再生装置４２の処理を図３５に示す。再生すべきＣＤを装着した場合、あるいはチェンジャーにおいて、再生すべきディスクを選択した場合に、ステップＳ２１で示すＴＯＣデータの読み込みが開始される。
【００９０】
読み込まれたＴＯＣデータ（ディスク固有の識別情報である、総プログラム数および総時間のデータ）が再生装置４１のカスタムファイルメモリ７７に存在するかどうかが照合される（ステップＳ２２）。すなわち、再生装置４２は、再生装置４１と通信を行い、カスタムファイルメモリ７７に再生しようとするＣＤのＴＯＣデータが存在しているかどうかが調べられる。
【００９１】
カスタムファイルが既に登録されているＣＤ、あるいは再生装置４１により再生済みのＣＤテキストフォーマットのＣＤを再生装置４２が再生する時では、照合の結果が肯定となり、処理がステップＳ２４に移る。このステップＳ２４において、カスタムファイルデータ（登録済みのＴＯＣデータおよびテキストデータ）がカスタムファイルメモリ７７からバスを介して再生装置４２のコントローラ内のＲＡＭに記憶される。そして、ステップＳ２５において、処理の迅速化のために、データＲ〜Ｗの読み込みが中止される。
【００９２】
ステップＳ２３において、データが照合されなかった場合、処理は終了される（ステップＳ２６）。なお、図３５では、省略しているが、通常のディスク再生のために必要なサブコードＱの読み込みはなされる。そして、カスタムファイルデータを記憶した場合、このＣＤが再生される際に、制御装置４４にオーディオ信号と共に表示データとしてカスタムファイルデータが転送され、制御装置４４の表示装置５３により表示される。
【００９３】
この発明の一実施例では、再生装置４１および４２間のコンピュータ通信を可能とすることによって、再生装置４１のカスタムファイルメモリ７７を再生装置４２と共有している。しかしながら、再生装置４１のＣＤテキストメモリ７６を再生装置４２が共有することも可能である。その場合では、再生装置４１がカスタムファイルに対応した装置である必要はない。
【００９４】
さらに、カスタムファイルメモリ、ＣＤテキストメモリ等の複数の再生装置間で共有されるテキスト用のメモリは、切換装置４３あるいは制御装置４４内に設けることも可能である。
【００９５】
また、上述した実施例では、ＣＤのＴＯＣがプログラム管理領域であるが、媒体が例えばテープの場合では、プログラム管理領域がテープの始端部分に記録されるように、記録媒体に応じたプログラム管理領域が設けられる。さらに、この発明は、ＣＤ等の再生専用の記録媒体に限らず、記録も可能な記録媒体、再生専用領域と記録可能領域との両者を有する記録媒体に対しても適用することができる。
【００９６】
【発明の効果】
以上説明したように、この発明によれば、ある記録フォーマット例えばＣＤテキストに対応した再生装置と、これに非対応の再生装置との両者からなる再生システムにおいて、非対応の再生装置によって、ＣＤテキストフォーマットのＣＤを再生した場合でも、ディスクタイトル等の文字情報を表示することができる。従って、ユーザが故障と勘違いすることを防止することができる。また、記憶装置（例えばカスタムファイルメモリ）を照合した時に、データが照合されると、サブコード（Ｒ〜Ｗチャンネル）の読み込みを中止するので、処理の迅速化を図ることができる。
【図面の簡単な説明】
【図１】この発明を適用することができる従来の音楽再生用ＣＤの領域を示す略線図である。
【図２】１フレームのデータを示す略線図である。
【図３】サブコードフレーム全体のデータ構造を説明する略線図である。
【図４】サブコード信号の全チャンネルのデータを示す略線図である。
【図５】ＣＤの全体のデータ構成およびＴＯＣデータの構成を示す略線図である。
【図６】従来のＣＤのリードイン領域に記録されているＴＯＣデータの構成を示す略線図である。
【図７】サブコード信号の全チャンネルのデータを示す略線図である。
【図８】サブコードのデータフォーマットを全体的に示す略線図である。
【図９】ＣＤテキストのデータフォーマットの１パックおよび１シンボルを示す略線図である。
【図１０】この発明の一実施例のデータフォーマットの割り付けを示す略線図である。
【図１１】ＩＤ１で示されるデータの内容を示す図である。
【図１２】ＩＤ２で示されるデータの内容を示す図である。
【図１３】ＩＤ３で示されるデータの内容を示す図である。
【図１４】ＩＤ４で示されるデータの内容を示す図である。
【図１５】曲名ＩＤのデータの内容を示す図である。
【図１６】曲名ＩＤのデータの説明に用いる図である。
【図１７】演奏者ＩＤのデータの説明に用いる図である。
【図１８】演奏者ＩＤのデータの説明に用いる図である。
【図１９】メッセージＩＤのデータの説明に用いる図である。
【図２０】メッセージＩＤのデータの説明に用いる図である。
【図２１】ディスクＩＤのデータの説明に用いる図である。
【図２２】検索ＩＤのデータの説明に用いる図である。
【図２３】検索ＩＤのデータの説明に用いる図である。
【図２４】ＴＯＣデータの説明に用いる図である。
【図２５】２ｎｄＴＯＣのデータの説明に用いる図である。
【図２６】２ｎｄＴＯＣのデータの説明に用いる図である。
【図２７】サイズパックのデータの説明に用いる図である。
【図２８】この発明による再生システムの一実施例の構成を示すブロック図である。
【図２９】この発明の一実施例における切換装置の構成を示すブロック図である。
【図３０】この発明の一実施例における制御装置の構成を示すブロック図である。
【図３１】この発明の一実施例における再生装置の構成を示すブロック図である。
【図３２】この発明の一実施例における再生装置に設けられたカスタムファイルメモリの記憶内容を概念的に示す略線図である。
【図３３】この発明による再生システムの一実施例のイニシャルリンクの処理を説明するためのフローチャートである。
【図３４】この発明による再生システムの一実施例の再生装置のＴＯＣデータの読み込みとメモリへの格納の処理を説明するためのフローチャートである。
【図３５】この発明による再生システムの一実施例の再生装置のＴＯＣデータの読み込みとメモリへの格納の処理を説明するためのフローチャートである。
【符号の説明】
１・・・ＩＤ領域，２・・・テキスト領域，３・・・ＣＲＣ領域，４・・・パック，５・・・パケット，４１・・・ＣＤテキストおよびカスタムファイルに対応した再生装置，４２・・・ＣＤテキストおよびカスタムファイルに非対応の再生装置，４３・・・切換装置，４４・・・制御装置，５３・・・表示装置，５４・・・操作部，６２・・・光学ピックアップ，７４・・・サブコードプロセッサ，７５・・・ＣＤテキストデコーダ，７６・・・ＣＤテキストメモリ，７７・・・カスタムファイルメモリ
【図１】
0003716514.tif 000002
【図２】
0003716514.tif 000003
【図３】
0003716514.tif 000004
【図４】
0003716514.tif 000005
【図５】
0003716514.tif 000006
【図６】
0003716514.tif 000007
【図７】
0003716514.tif 000008
【図８】
0003716514.tif 000009
【図９】
0003716514.tif 000010
【図１０】
0003716514.tif 000011
【図１１】
0003716514.tif 000012
【図１２】
0003716514.tif 000013
【図１３】
0003716514.tif 000014
【図１４】
0003716514.tif 000015
【図１５】
0003716514.tif 000016
【図１６】
0003716514.tif 000017
【図１７】
0003716514.tif 000018
【図１８】
0003716514.tif 000019
【図１９】
0003716514.tif 000020
【図２０】
0003716514.tif 000021
【図２１】
0003716514.tif 000022
【図２２】
0003716514.tif 000023
【図２３】
0003716514.tif 000024
【図２４】
0003716514.tif 000025
【図２５】
0003716514.tif 000026
【図２６】
0003716514.tif 000027
【図２７】
0003716514.tif 000028
【図２８】
0003716514.tif 000029
【図２９】
0003716514.tif 000030
【図３０】
0003716514.tif 000031
【図３１】
0003716514.tif 000032
【図３２】
0003716514.tif 000033
【図３３】
0003716514.tif 000034
【図３４】
0003716514.tif 000035
【図３５】
0003716514.tif 000036